(57)【特許請求の範囲】
【請求項１】
換気孔を有し、建屋の外壁と鼻隠し化粧板との間の軒天井空間を塞ぐ大きさの断面溝型に成形され、溝型一端の立ち上がり部を前記外壁または前記鼻隠し化粧板の下地に結合して固定される見切り縁パネルと
前記見切り縁パネルの溝型他端側の立ち上がり部に装着される、風圧を受けて、前記換気孔を介して前記建屋の内外を連通する換気通路を遮蔽する可動フラップと、
を備え、
前記見切り縁パネルおよび前記可動フラップを、前記軒天井空間において天地方向の上下方向または水平方向に反転させて装着可能であることを特徴とする軒天井換気口装置。
【請求項２】
換気孔を有し、建屋の外壁と鼻隠し化粧板との間の軒天井空間を塞ぐ大きさの断面溝型に成形され、溝型一端の立ち上がり部を前記外壁または前記鼻隠し化粧板の下地に結合して固定される見切り縁パネルと
前記見切り縁パネルの溝型他端側の立ち上がり部に嵌装される、風圧を受けて、前記換気孔を介して前記建屋の内外を連通する換気通路を遮蔽する可動フラップと、
を備え、
前記可動フラップは、天地方向の上下方向または水平方向に反転させて前記見切り縁パネルに嵌装可能であることを特徴とする軒天井換気口装置。
【発明の詳細な説明】
【技術分野】
【０００１】
本発明は、一般住宅家屋など建屋の軒天井に設けた換気口から雨水などが屋内天井裏などに吹き込んで浸入するのを防ぎ、かつ近隣の火災時に炎や煙で類焼を防ぐ防火防水機能を兼備する通気見切り縁としての軒天井換気口装置に関するものである。
【背景技術】
【０００２】
近年、特に日本家屋などの家屋においては、建屋寿命の耐久性を高めるための建築工法の１つとして、母屋の外壁から屋根が出っ張る部分の軒裏側天井部分の空間に通気見切り縁として軒天井換気口装置が設けられ、屋外から屋内への通気性、あるいは屋内から屋外への通気性を高めるようにしている。また、そうした軒天井換気口装置の場合、雨水などが軒天井空間に吹き込むのを防ぐ止水機能と、隣家が火災に見舞われたときの炎や煙が自家に流れ込んで延焼するのを防ぐ防火機能を兼備したものが最近の傾向になってきており、たとえば特許文献１に記載された換気装置などが提案されている。
【０００３】
一般に、軒の出寸法は隣家土地や建坪との関係から制限されることもあるが、軒の出寸法をできるだけ短小に納めたい場合がある。そうした短小の軒天井空間において効果的に換気を図るべく通気見切り縁を施工しようとすれば、コンパクトな軒天井換気口装置が求められるが、従来この種の装置は短小の軒天井空間における換気機能性が低く、構造的にも複雑である。
【０００４】
また、仕上げ部と仕上げ部との取り合い部分である通気見切り縁としての性格上、軒天井換気口装置を取付施工する工事期間についても建築工事の進行状況に左右されるなど制約が多い。たとえば、建築中の建屋において外壁が仕上がる前に軒天井換気口装置の取り付けを完了することが要求され、また軒先に通称鼻隠し化粧板を施工して仕上がる前に軒天井換気口装置の取り付けを完了することなどが要求される。さらには、想定外で外壁が見込み以上に厚い場合は、軒天井の出寸法が狭まってしまうためにそれだけ換気口装置の取り付けは困難となり、場合によっては取付不能となるような事態も発生する。
【０００５】
さらに、前述のように、防火防水両機能を兼備した軒天井換気口装置の場合はより一層軒天井空間への納まりが一義的に限定され、現場ごとに多種多様の軒天井空間に自在に対応できない。
【０００６】
以上の問題点について、図２２に示す軒天井換気口装置の構造例を参照して説明する。この場合の建屋１は、切妻型母屋や寄棟型母屋の屋根合掌が垂木２、野地板３、屋根板４によって構成され、そうした屋根を載せる梁材５が図に垂直方向に延びて通されている。屋根の鼻先となる垂木２の先端の軒先には建屋一周を取り巻くようにして、鼻先の体裁や外観を整える部材である鼻隠し化粧板６が受板７を介して水平方向に延びて取り付けられている。また、梁材５と間柱（図示略）を利用して上下方向に等ピッチで胴縁９が取り付けられ、この胴縁９に建屋外側から外壁１１が取り付けられている。
【０００７】
また、軒先の鼻隠し化粧板６と外壁１１との間の軒天井空間を塞ぐようにして、軒天井換気口装置を構成する見切り縁１４が軒天井板１３を介して取付ねじ１６で内壁８に固定されている。見切り縁１４と外壁１１の上面との間には熱発泡部材１５が介装されている。さらに、上記鼻隠しの受板７と内壁８との間の空間には破風・鼻隠し下地１２が取り付けられている。以上の各部材によって、建屋の仕上げ部と仕上げ部との取り合い部分となる通気見切り縁として軒天井換気口装置が取り付けられ、図２２中の矢印Ｗで示す換気通路が形成される。
【０００８】
【特許文献１】特開２００３−８２７８３号公報
【発明の開示】
【発明が解決しようとする課題】
【０００９】
軒天井換気口装置の構造例として挙げた図２２において、建屋１の軒の出寸法が小さい場合は、そこに見切り縁として取り付けられる軒天井換気口装置は複雑化して納まり難く、施工時も外壁１１側、あるいは鼻隠し化粧板６側に取り付けざるを得ないなど制約を受ける。また、施工する時期も外壁１１が仕上がる前であること、そして鼻隠し化粧板６の仕上がり前であることが厳しく求められる。また、外壁１１の厚さ寸法が多種多様な建材に対応できず、特定かつ限定された壁厚さの場合しか対応できない。さらには、止水性や防火性の機能を付帯させると、納まりはより一層限定的なものになって、自在な納まり性に欠け、施工時期の自在な対応性にも欠ける。
【００１０】
そこで、軒の出寸法をできるだけ短小にしてその場合でも納まりよく、壁側、鼻隠し化粧板側のいずれにも自在に取り付けられる対応自在で施工性に優れた軒天井換気口装置が待望されている。
【００１１】
以上に鑑み、本発明の目的は、建屋の軒の出寸法や形状などに制約を受けず自在に対応して取り付けることができ、また建築工事中に他の施工時期に制約されず先付け、後付など自由な時期に施工可能な防火防水性を兼備した軒天井換気口装置を提供することにある。
【００１２】
また、建築現場での施工性が格段に高められ、施工コストの削減にも寄与できる軒天井換気口装置を提供する。
【課題を解決するための手段】
【００１３】
上記目的を達成するために本発明の代表的な軒天井換気口装置は、換気孔を有し、建屋の外壁と鼻隠し化粧板との間の軒天井空間を塞ぐ大きさの断面溝型に成形され、溝型一端の立ち上がり部を前記外壁または前記鼻隠し化粧板の下地に結合して固定される見切り縁パネルと前記見切り縁パネルの溝型他端側の立ち上がり部に装着される、風圧を受けて、前記換気孔を介して前記建屋の内外を連通する換気通路を遮蔽する可動フラップと、を備え、前記見切り縁パネルおよび前記可動フラップを、前記軒天井空間において天地方向の上下方向または水平方向に反転させて装着可能であることを特徴とする。
または、換気孔を有し、建屋の外壁と鼻隠し化粧板との間の軒天井空間を塞ぐ大きさの断面溝型に成形され、溝型一端の立ち上がり部を前記外壁または前記鼻隠し化粧板の下地に結合して固定される見切り縁パネルと前記見切り縁パネルの溝型他端側の立ち上がり部に嵌装される、風圧を受けて、前記換気孔を介して前記建屋の内外を連通する換気通路を遮蔽する可動フラップと、を備え、前記可動フラップは、天地方向の上下方向または水平方向に反転させて前記見切り縁パネルに嵌装可能であることを特徴とする。
【発明の効果】
【００１４】
本発明の防火防水性の両機能を兼備した軒天井換気口装置によれば、外壁の厚み寸法や鼻隠し化粧板側、外壁側取り付けなどに制約を受けず自在に対応して取り付けることができ、建築工事中に他の施工時期に制約されず自由な時期に施工可能である。また、建築現場での施工性が格段に高められ、施工コストの削減にも寄与できる。
【発明を実施するための最良の形態】
【００１５】
以下、本発明に係る通気見切り縁の軒天井換気装置の好適な実施形態について図面を参照して詳細に説明する。なお、本実施形態の軒天井換気口装置の取付例を示す建屋について、従来の軒天井換気口装置を設けた図２２に示す建屋の部材に付した符号と同一符号を付してある。
【００１６】
≪第１実施形態≫
図１は、本実施形態の軒天井換気口装置２０を建屋１の「壁側」にビス止め固定して取り付けた構造例を示す。建屋１は、屋根３（４）の鼻先となる垂木２の先端の軒先に建屋一周を取り巻くようにして、鼻先の体裁を整える部材の鼻隠し化粧板６が受板７を介して水平方向に延びて取り付けられている。また、梁材５と間柱を利用して上下方向に等ピッチで胴縁９が取り付けられ、この胴縁９に建屋外側から外壁１１が取り付けられている。
【００１７】
図２に示すように、軒天井換気装置２０は、軽量薄鋼板製または合成樹脂製の見切り縁パネル３０にたとえば定尺の１８００ｍｍの長さ物を建屋１の軒天井長さに応じた長さに嵌装され、軒天井空間をその奥行き一杯に塞ぐようにして取り付けられている。見切り縁パネル３０は図示のような最適断面の溝型に折り曲げプレス成形あるいは金型成形され、取り付け時の天地方向でいう見切り縁パネル３０の溝型底部は斜面部３１となっており、そこに長手方向にわたって長孔形状、スリット形状またはスロット形状の換気孔３２が形成されて格子形状を呈している。斜面部３１から溝型一端側には垂直方向に取付ベース部３３が立ち上がっており、取付ベース部３３の上部は水平と垂直に折り曲がった段付き形状となっている。その垂直部のフランジ部３５に取付孔３６が設けてあり、取付ねじ１６で外壁１１側の梁材５と上段胴縁９とに締結することで、軒天井換気口装置２０全体が「壁側」に固定される。
【００１８】
また、図２に示すように、見切り縁パネル３０の溝型他端側つまり取付ベース部３３に対向する反対側には見切り縁カートリッジ保持フランジ部３７が設けられ、このフランジ部３７の上端に長手方向から挿し込んで見切り縁カートリッジ４０を装着保持する部分の係止部３８が設けられている。
【００１９】
見切り縁カートリッジ４０は、たとえば合成樹脂材を押し出し成形したものでその上部４１を見切り縁パネル３０側の上記係止部３８に長手方向の一端側から挿し込んで係合させる。また、見切り縁カートリッジ４０の下部４２には長い帯状の熱発泡部材４３を嵌め込んで保持させてセット状態にしたカートリッジ化したもので準備される。熱発泡部材４３は建築現場でも装着することができる。図３（ａ）〜（ｄ）は、見切り縁カートリッジ４０のカートリッジ本体に熱発泡部材４３を装着する作業手順を示している。
【００２０】
また、見切り縁カートリッジ４０においては、要部ともいうべき可動フラップ部４４がカートリッジ本体にたとえば二色樹脂成形法などによって一体成形で設けられている。二色樹脂成形される場合、可動フラップ部４４は可撓性を有する軟質性樹脂でもって薄肉のヒンジ部４５を介して垂れ下がるように一体成形で設けられ、風圧を受けて外側にヒンジ部４５を回動支点にして回動し、換気通路を遮蔽するようになっている。ヒンジ部４５もまた一体成形で薄肉成形され、設定された風力の外気の風によってヒンジ部４５を支点にして可動フラップ部４４がなびくようにして外側に回動する。
【００２１】
したがって、図４に示すように、準備された見切り縁カートリッジ４０を見切り縁パネル３０にこの長手方向の一端側から挿し込んで連結することで、軒天井換気装置２０として組み立てられる。この軒天井換気口装置２０が建屋１の軒天井空間に取り付けられ、以下のように機能して作用する。
【００２２】
−止水機能−
図５に示すように、建屋１の軒天井において、図中の白抜き矢印で示す風雨による雨水は軒天井換気口装置２０のスリット状換気孔３２から軒天井空間から屋根裏に通ずる換気通路に吹き込もうとする。換気孔３２の内側では風力によって見切り縁カートリッジ４０側の可動フラップ部４４がヒンジ部４５を回動支点にして煽られ、外側に回動して見切り縁パネル３０との間に形成されている「換気通路」を遮断する。換気通路の遮蔽によって雨水はそれ以上軒天井空間の奥方に吹き込むのを阻止される。
【００２３】
−防火機能−
図６に示すように、火事に見舞われた隣家の火災の煽りを受けて、火炎や煙が軒天井空間に回り込もうとすると、その熱を感知して軒天井換気口装置２０に備わる見切り縁カートリッジ４０側の熱発泡部材４３が熱膨張して見切り縁パネル３０との間の「換気通路」を遮断する。火炎は熱膨張した熱発泡部材４３によって阻止され、それ以上換気通路の奥方に入り込まず、類焼を免れることができる。
【００２４】
ここで、図７以下の図を参照して第１実施形態の応用例ともいうべき実施例について説明する。
【００２５】
≪応用例１≫〕
上記図１の第１実施形態において軒天井換気口装置２０が「壁側」に固定して取り付けた構造例であったのに対して、図７に示す応用例１では軒天井換気口装置２０を鼻隠し化粧板６側「受板７」に取付ねじ１６で固定して取り付けることができる。この場合、見切り縁パネル３０の結合フランジ３５を受板７に結合し、見切り縁パネル３０を固定している。
【００２６】
≪応用例２≫
図８は、図１に示す第１実施形態において、見切り縁パネル３０に設けた水平曲げ部分の壁当てフランジ３４の奥行き寸法に対して、外壁１１の厚さ寸法が薄い場合の取付例である。
【００２７】
≪応用例３≫
図９および図１０はいずれも、図１に示す第１実施形態において、外壁１１の厚さ寸法が厚い場合、見切り縁パネル３０に設けた取付ベース部３３を取付ねじ１６で外壁１１と胴縁９に固定した納まりの取付例である。
【００２８】
≪応用例４≫
つぎに、図１１は、第１実施形態の図１に示す状態から軒天井換気口装置２０の見切り縁パネル３０を天地方向上下を反転させて納める場合の単品図である。したがって、この場合はスリット状換気孔３２が上位に位置する。図１２および図１３はいずれもその場合の納まりによる取付例を示す。
【００２９】
≪応用例５≫
つぎに、図１４は、第１実施形態の見切り縁パネル３０の構造的な変形例であり、取付ベース部３３の上部に水平曲げ部分の壁当てフランジ３４などが設けられていない構造例である。
【００３０】
≪第２実施形態≫
一方、図１５〜図１９は、本発明に係る軒天井換気口装置２０において、見切り縁カートリッジ４０側に設けた可動フラップ部の形状をさらに改良した場合の第２実施形態を示す。
【００３１】
図１５（ａ）〜（ｃ）に示すように、本実施形態の見切り縁カートリッジ５０はカートリッジ本体５１を有し、このカートリッジ本体５１の天地方向でいう中間部に仕切フランジ５２が一体成形で設けられている。仕切フランジ５２で仕切られたカートリッジ本体５１の上部５３と下部５４のいずれにも見切り縁カートリッジ保持フランジ部３７の先端に設けた熱発泡材４３を取り付けた熱発泡材取り付け部６４を抱えるようにして保持可能となっている。
【００３２】
また、上記仕切フランジ５２の突端部においてはカートリッジ本体下部５４に対向するようにして可動フラップ部６０が設けられている。図１５では、可動フラップ部６０がたとえば「二色樹脂成形法」で仕切フランジ５２に一体成形された構造がのものが示されている。すなわち、可動フラップ部６０は天地方向でいう上部の根元部６１において仕切フランジ５２に連接しており、根元部６１からフラップ部６２が下方へ垂下している。フラップ部６２は軟質の合成樹脂材等で成形され、風を受けると弾性でもって根元部６１を支点にして撓み、回動のごとき動作が可能となっている。
【００３３】
したがって、そうした可動フラップ部６０を有する見切り縁カートリッジ５０は、図１６に示すように、見切り縁パネル３０に挿し込むことで軒天井換気口装置２０として組み立てられる（図１７参照）。
【００３４】
−止水機能−
図１８は、かかる第２実施形態の軒天井換気口装置２０を建屋１に取り付けて施工後、雨水などを遮断する止水機能を示す。可動フラップ部６０は風圧によって弾性で撓んで外側に回動し、フラップ部６２の先端部が見切り縁パネル３０側の取付ベース部３３に突き当たり、換気通路を遮断する。したがって、スリット状換気孔３２から雨水が浸入したとしても、フラップ部６２によって完全に遮断され、それ以上天井裏などに回り込むのを防いで止水機能を果たす。
【００３５】
−防火機能−
図１９は、隣家の火災発生によって、炎や煙が回り込んできた場合、その熱を感知して軒天井換気口装置２０の見切り縁カートリッジ５０側に装着されている熱発泡部材４３が熱膨張して発泡し、見切り縁パネル３０側のスリット状換気孔３２を内側から塞ぐ。それによって炎や煙が換気通路から軒天井裏などに回り込み、類焼する難から免れることができる。
【００３６】
≪応用例１≫
図２０および図２１は、第２実施形態の応用例を示す。この場合、軒天井換気口装置２０の見切り縁パネル３０を反転させて取り付ける構造例であり、正規の姿勢の見切り縁カートリッジ５０を気見切り縁パネル３０に挿し込むことによって、図２１のように軒天井換気口装置２０を組み立てる。
【図面の簡単な説明】
【００３７】
【図１】は本発明に係る第１実施形態の軒天井換気口装置を通気見切り縁として施工した構造例を示す図。
【図２】同第１実施形態の軒天井換気口装置を組み立てを示す分解図。
【図３】同図（ａ）〜（ｃ）は第１実施形態の熱発泡材装着レールにおいて熱発泡材を装着する組立順を示す図。
【図４】同第１実施形態の軒天井換気口装置の組立図。
【図５】同第１実施形態において可動フラップ部が作動して止水機能する態様を示す建屋への納まり図。
【図６】同第１実施形態において熱発泡材が熱を感知して発泡して換気通路を遮断することによって防火する態様を示す建屋への納まり図。
【図７】同第１実施形態において軒天井換気口装置を鼻隠し化粧板側に取り付けて施工した構造例を示す図。
【図８】同第１実施形態の応用例として外壁が薄い場合の軒天井換気口装置の納まりを示す構造図。
【図９】同第１実施形態の応用例として外壁が厚い場合の軒天井換気口装置の納まりを示す構造図。
【図１０】同第１実施形態の応用例として外壁が厚い場合の軒天井換気口装置の納まりを示す構造図。
【図１１】同第１実施形態の応用例として通気見切り縁を上下反転させて用いる場合の単品図。
【図１２】同第１実施形態の応用例として通気見切り縁を上下反転させて用いた場合の納まりを示す構造図。
【図１３】同第１実施形態の応用例として通気見切り縁を上下反転させて用いた場合の納まりを示す構造図。
【図１４】同第１実施形態の通気見切り縁の変形例を示す単品図。
【図１５】同図（ａ）〜（ｃ）は本発明に係る第２実施形態の軒天井換気口装置を構成する熱発泡材装着レールの組立例の数種を示す図。
【図１６】同第２実施形態の軒天井換気口装置を組み立てる際の分解図。
【図１７】同第２実施形態の軒天井換気口装置の組立図。
【図１８】同第２実施形態において可動フラップ部で雨水を遮断する止水機能を示す納まり図。
【図１９】同第２実施形態において熱発泡材が熱を感知して発泡して換気通路を遮断して炎や煙を遮断する防火機能を示す納まり図。
【図２０】同第２実施形態の応用例として通気見切り縁を上下反転させて用いる場合の組み立てを示す分解図。
【図２１】同第２実施形態において通気見切り縁を上下反転させて収める構造図。
【図２２】従来例の軒天井換気口装置を装着した建屋への納まりを示す図。
【符号の説明】
【００３８】
１          建屋
６          鼻隠し化粧板
１１        外壁
１６        取付ねじ
２０        軒天井換気口装置
３０        見切り縁パネル
３２        スリット状換気孔
４０，５０  見切り縁カートリッジ
４３        熱発泡部材
４４，６０  可動フラップ部
【図１】
0005064965.tif 000002
【図２】
0005064965.tif 000003
【図３】
0005064965.tif 000004
【図４】
0005064965.tif 000005
【図５】
0005064965.tif 000006
【図６】
0005064965.tif 000007
【図７】
0005064965.tif 000008
【図８】
0005064965.tif 000009
【図９】
0005064965.tif 000010
【図１０】
0005064965.tif 000011
【図１１】
0005064965.tif 000012
【図１２】
0005064965.tif 000013
【図１３】
0005064965.tif 000014
【図１４】
0005064965.tif 000015
【図１５】
0005064965.tif 000016
【図１６】
0005064965.tif 000017
【図１７】
0005064965.tif 000018
【図１８】
0005064965.tif 000019
【図１９】
0005064965.tif 000020
【図２０】
0005064965.tif 000021
【図２１】
0005064965.tif 000022
【図２２】
0005064965.tif 000023